(57)【要約】      （修正有）【課題】重量が軽く、かつ、通気性が良くて蒸れることなく、首周りに確実にフィットする首用サポーターを提供する。【解決手段】サポーター本体１１と、ベルトとを備え、サポーター本体の平面視の形状は、横長の長尺形状であって、ユーザが首に巻いた際、サポーター本体の長手方向の下端部の輪郭が、顎下部分に位置する中央部からそれぞれ左右の肩部分に位置する左右の中間部まで上昇し、左右の中間部から背中側の背骨部分に位置する両端部近傍まで下降する湾曲形状に構成されており、ユーザの首に接触する本体内側体１１ｃは、多数の孔が形成された軟質メッシュ素材で形成されている一方、本体内側体の外側に設けられる本体外側体１１ｄは、本体内側体の軟質メッシュ素材よりも硬質で多数の孔が形成された硬質メッシュ素材で形成されている。【選択図】図２
0003210961.tif 000002
【実用新案登録請求の範囲】
【請求項１】
首の周りに巻付けて使用する首用サポーターであって、
ユーザの首の長さに応じた縦幅を有すると共に、首に巻き着け可能な横幅を有し、横方向の一方側には雄または雌側の面ファスナーが設けられたサポーター本体と、
前記サポーター本体の雄または雌側の面ファスナーに接離可能な雌または雄の面ファスナーを有しており、前記サポーター本体の横方向の他方側に設けられたベルトとを備え、
前記サポーター本体の平面視の形状は、
横長の長尺形状であって、ユーザが首に巻いた際、前記サポーター本体の長手方向の下端部の輪郭が、顎下部分に位置する前記サポーター本体の中央部からそれぞれ左右の肩部分に位置する前記サポーター本体の左右の中間部まで上昇し、その左右の中間部から背中側の背骨部分に位置する前記サポーター本体の両端部近傍まで下降する湾曲形状に構成されており、
前記サポーター本体は、
ユーザの首に接触する本体内側体は、多数の孔が形成された軟質メッシュ素材で形成されている一方、前記本体内側体の外側に設けられる本体外側体は、前記本体内側体の軟質メッシュ素材よりも硬質で多数の孔が形成された硬質メッシュ素材で形成されていることを特徴とする首用サポーター。
【請求項２】
請求項１に記載の首用サポーターにおいて、
前記本体外側体の硬質メッシュ素材には、前記本体内側体の軟質メッシュ素材よりも大きい孔が多数形成されていることを特徴とする首用サポーター。
【請求項３】
請求項１または請求項２に記載の首用サポーターにおいて、
前記サポーター本体の前記本体外側体は、
前記硬質メッシュ素材が２枚以上重ねて設けられていることを特徴とする首用サポーター。
【請求項４】
請求項１〜請求項３のいずれか一の請求項に記載の首用サポーターにおいて、
ユーザが首に巻いた際、顎下部分に位置する前記サポーター本体の中央部の表側には、さらに、厚手の補強部材が設けられていることを特徴とする首用サポーター。
【考案の詳細な説明】
【技術分野】
【０００１】
本考案は、首の周りに巻付けて使用する首用サポーターに関する。
【背景技術】
【０００２】
首の周りに巻付ける首用サポーターとして、空気で空気袋を膨張させて頭を支えて頸部を安定化させたり、首にかかる負担を軽減するものが提案されている（例えば、特許文献１，２参照。）。
【先行技術文献】
【特許文献】
【０００３】
【特許文献１】特許第５５２５６２７号公報
【特許文献２】実用新案登録第３０８４４４２号公報
【考案の概要】
【考案が解決しようとする課題】
【０００４】
しかし、前記特許文献１、２に記載の首用サポーターでは、空気袋を膨張させる構造であるため、空気袋に孔が空いた場合、使用不可になると共に、空気の注入量によって形が大きく変形して、首回りに確実にフィットしない、いう問題があった。
【０００５】
特に、空気袋の場合、空気が漏れるために孔が開けられない構造であるため、首回りが密閉されて通気性が悪く、長時間使用している場合や夏場等においては蒸れて不快になるという問題もあった。
【０００６】
また、むち打ち症になった際、医師から勧められる従来のコルセットは、プラスチック等の完全な剛性体で構成されているため、重量が重いという問題と共に、プラスチック製の板で出来ている為、首回りが密閉されて通気性が悪く、長時間使用している場合や夏場等においては蒸れて不快である、という問題もある。
【０００７】
そこで、本考案はこのような問題点に鑑みなされたもので、空気袋を使用せず、重量も軽く、かつ、通気性が良くて蒸れることなく、首周りに確実にフィットする首用サポーターを提供することを目的とする。
【課題を解決するための手段】
【０００８】
前記課題を解決するため、本考案に係る首用サポーターは、首の周りに巻付けて使用する首用サポーターであって、ユーザの首の長さに応じた縦幅を有すると共に、首に巻き着け可能な横幅を有し、横方向の一方側には雄または雌側の面ファスナーが設けられたサポーター本体と、前記サポーター本体の雄または雌側の面ファスナーに接離可能な雌または雄の面ファスナーを有しており、前記サポーター本体の横方向の他方側に設けられたベルトとを備え、前記サポーター本体の平面視の形状は、横長の長尺形状であって、ユーザが首に巻いた際、前記サポーター本体の長手方向の下端部の輪郭が、顎下部分に位置する前記サポーター本体の中央部からそれぞれ左右の肩部分に位置する前記サポーター本体の左右の中間部まで上昇し、その左右の中間部から背中側の背骨部分に位置する前記サポーター本体の両端部近傍まで下降する湾曲形状に構成されており、前記サポーター本体は、ユーザの首に接触する本体内側体は、多数の孔が形成された軟質メッシュ素材で形成されている一方、前記本体内側体の外側に設けられる本体外側体は、前記本体内側体の軟質メッシュ素材よりも硬質で多数の孔が形成された硬質メッシュ素材で形成されていることを第１の特徴とする。
また、本考案に係る首用サポーターは、前記本体外側体の硬質メッシュ素材には、前記本体内側体の軟質メッシュ素材よりも大きい孔が多数形成されていることを第２の特徴とする。
また、本考案に係る首用サポーターは、前記サポーター本体の前記本体外側体は、前記硬質メッシュ素材が２枚以上重ねて設けられていることを第３の特徴とする。
また、本考案に係る首用サポーターは、ユーザが首に巻いた際、顎下部分に位置する前記サポーター本体の中央部の表側には、さらに、厚手の補強部材が設けられていることを第４の特徴とする。
【考案の効果】
【０００９】
本考案に係る首用サポーターによれば、サポーター本体と、ベルトとを備え、サポーター本体の平面視の形状は、横長の長尺形状であって、ユーザが首に巻いた際、サポーター本体の長手方向の下端部の輪郭が、顎下部分に位置するサポーター本体の中央部からそれぞれ左右の肩部分に位置するサポーター本体の左右の中間部まで上昇し、その左右の中間部から背中側の背骨部分に位置するサポーター本体の両端部近傍まで下降する湾曲形状に構成されており、サポーター本体は、ユーザの首に接触する本体内側体は、多数の孔が形成された軟質メッシュ素材で形成されている一方、本体内側体の外側に設けられる本体外側体は、本体内側体の軟質メッシュ素材よりも硬質で多数の孔が形成された硬質メッシュ素材で形成されている。
そのため、本考案に係る首用サポーターでは、空気袋を使用しないので、空気袋に孔が空いて使用不可になるということが無くなる。
また、本考案に係る首用サポーターでは、サポーター本体の平面視の形状は、横長の長尺形状であって、ユーザが首に巻いた際、サポーター本体の長手方向の下端部の輪郭が、顎下部分に位置するサポーター本体の中央部からそれぞれ左右の肩部分に位置するサポーター本体の左右の中間部まで上昇し、その左右の中間部から背中側の背骨部分に位置するサポーター本体の両端部近傍まで下降する湾曲形状に構成されているため、ユーザの首回りに確実にフィットさせることができる。
さらに、本考案に係る首用サポーターは、サポーター本体が軟質メッシュ素材および硬質メッシュ素材で構成されているため、軽量で通気性が良くなり、長時間使用している場合や夏場等においては蒸れることがなくなり、快適に使用できる。
【図面の簡単な説明】
【００１０】
【図１】本考案に係る実施形態の首用サポーターの使用状態を正面から示す図である。
【図２】本考案に係る実施形態の首用サポーターの斜視図である。
【図３】本考案に係る実施形態の首用サポーターの平面図である。
【図４】図３におけるＡ−Ａ線断面図である。
【図５】本考案に係る実施形態の首用サポーターの背面図である。
【図６】本考案に係る実施形態の首用サポーターの分解平面図である。
【図７】本考案に係る実施形態の首用サポーターのベルトをサポーター本体の雌側面ファスナーに接着させた状態を示す斜視図である。
【考案を実施するための形態】
【００１１】
以下、本考案に係る実施形態の首用サポーターについて、図面を参照しながら詳細に説明する。なお、下記に説明する実施形態はあくまで本考案の一例であり、本考案は下記の実施形態に限定されるものではなく、本考案の技術思想の範囲内で適宜変更可能である。
【００１２】
本考案に係る首用サポーター１は、図１に示すように、首２の周りに巻付け、頭を支えて頸部を安定化ないしは固定させたり、首２にかかる負担を軽減するもので、図２〜図５に示すように、サポーター本体１１と、ベルト１２とを備える。
【００１３】
（サポーター本体１１の構成）
サポーター本体１１は、ユーザの首２の長さに応じた縦幅（高さ）、例えば、約８ｃｍ〜１２ｃｍ程度の長さを有すると共に、首２に巻き着け可能な横幅４０ｃｍ〜６０ｃｍ程度の長さを有する横長で長尺の帯状のもので、図３に示すように横方向の一方側、すなわち図３の左側の表側には雌側の面ファスナー（以下、雌側面ファスナーという。）１１ａが設けられていると共に、図４に示すようにサポーター本体１１の外周縁は２枚のウレタンクッション材１１ｇ１，１１ｇ２によって覆い、その２枚のウレタンクッション材１１ｇ１，１１ｇ２の上からポリエステルや、ナイロン、ポリウレタン等の軟質で弾力性のある縁テープ１１ｂが縫付けられて構成されている。
【００１４】
サポーター本体１１の平面視の形状は、図３や図５等に示すように、ユーザが首２に巻いた際、サポーター本体１１の長手方向の下端部の輪郭が、顎下部分に位置するサポーター本体１１の中央部からそれぞれ左右の肩部分に位置するサポーター本体１１の左右の中間部まで上昇し、その左右の中間部から背中側の背骨部分に位置するサポーター本体１１の左右両端部近傍まで下降する湾曲形状に構成されており、より詳細には、図３や図５等に示すように、顎下部分に位置するサポーター本体の中央部は最下位となり、肩部分に位置するサポーター本体の左右の中間部で最上位となって、背中側の背骨部分に位置する両端部で中央部と中間部の間の中間位置となっている。
【００１５】
そのため、本実施形態の首用サポーター１の長手方向の下端部の輪郭が、以上のような湾曲形状に構成されているので、ユーザの顎下や肩、首、背中等の首回りに違和感なくフィットさせることが可能となり、首用サポーター１の使用感を向上させることができる。
【００１６】
またサポーター本体１１は、図２や図４〜図６に示すように、ユーザの首２に接触する本体内側体１１ｃは多数ないしは無数の小さい孔が形成された軟らかいクッション性のあるポリウレタン等の軟質メッシュ素材で形成されている一方、本体内側体１１ｃの外側に設けられユーザの首２に接触しない本体外側体１１ｄは、図２〜図４や図６に示すように、本体内側体１１ｃの軟質メッシュ素材よりも硬質のプラスチックであるポチエチレン（ＰＥ）やナイロン製等の素材で織られており、かつ、本体内側体１１ｃの軟質メッシュ素材の小孔よりも大きい孔が多数ないしは無数形成された硬質メッシュ素材で形成されている。
【００１７】
そのため、本実施形態の首用サポーター１では、サポーター本体１１として空気袋を使用しないので、空気袋に孔が空いて使用不可になるということが無くなる。
【００１８】
また、本実施形態の首用サポーター１は、サポーター本体１１を軟質メッシュ素材の本体内側体１１ｃおよび硬質メッシュ素材の本体外側体１１ｄで構成しているため、首２に触れる本体内側体１１ｃは軟質メッシュ素材で肌触りが良く、使用感がソフトであると共に、首２に触れない本体外側体１１ｄは硬質メッシュ素材で潰れ難く、頭や首２を確実に支持することができる。
【００１９】
また、サポーター本体１１が軟質および硬質のメッシュ素材から構成されるため、軽量で通気性が良くなり、長時間使用している場合や夏場等においても、蒸れることがなくなり、快適に使用できる。
【００２０】
また、本実施形態の首用サポーター１では、図５等に示すように、サポーター本体１１の周縁部は２枚のウレタンクッション材１１ｇ１，１１ｇ２によって覆い、その２枚のウレタンクッション材１１ｇ１，１１ｇ２の上から縁テープ１１ｂが設けられているため、ユーザが本実施形態の首用サポーター１を使用した場合、硬質の硬質メッシュ素材の本体外側体１１ｄの周縁部は、軟質の２枚のウレタンクッション材１１ｇ１，１１ｇ２および縁テープ１１ｂを介してユーザの首下や顎下等に当たることになる。
【００２１】
そのため、ユーザが本実施形態の首用サポーター１を使用した際、サポーター本体１１の周縁部がユーザの首下や顎下等に当たったとしても、軟質の２枚のウレタンクッション材１１ｇ１，１１ｇ２および縁テープ１１ｂがクッションとなるので、首下や顎下等が痛くなったり違和感を与えることが少なくなり、首用サポーター１の使用感を向上させることができ、首用サポーター１を快適に使用することができる。
【００２２】
また、図３に示すように、本体外側体１１ｄの雌側面ファスナー１１ａの上には、この商品の登録商標である「ｍａｇｉｃｏ Ｌａｂｏ」等が横記きで印刷された商品タグ１１ｆが上側部分を縁テープ１１ｂと共に縫付けて設けられている。尚、この商品タグ１１ｆは、後述する図６に示すように雌側面ファスナー１１ａの上部に予め縫付けて設けられており、雌側面ファスナー１１ａと共に縁テープ１１ｂによってサポーター本体１１に縫付けて設けられる。
【００２３】
ここで、図３に示すように、雌側面ファスナー１１ａを本体外側体１１ｄに設けているが、本体外側体１１ｄの雌側面ファスナー１１ａの内側端部（図３上、右側端部）からサポーター本体１１の左側端部までの長さをＬ１、商品タグ１１ｆが取り付けられた部分における雌側面ファスナー１１ａの縁テープ１１ｂの内側端部間の高さをｈ１（＜Ｌ１）、縁テープ１１ｂの下端部から露出した商品タグ１１ｆの高さをｈ２とする。また、図３に示すように、商品タグ１１ｆの横幅、すなわち横方向の長さは、Ｌ２とする。
【００２４】
図６は、本考案に係る実施形態の首用サポーター１の分解平面図である。
図６にも示すように、本考案に係る実施形態の首用サポーター１は、サポーター本体１１とベルト１２から構成され、サポーター本体１１は、上述のようにサポーター本体１１の外周縁に縫付ける縁テープ１１ｂと、軟質メッシュ素材からなりユーザの首２に接触する本体内側体１１ｃと、本体内側体１１ｃの外側に設けられユーザの首２に接触しない２枚の本体外側体１１ｄ，１１ｄと、２枚の本体外側体１１ｄ，１１ｄの内、少なくとも外側の本体外側体１１ｄには縫い付けて設けられる雌側面ファスナー１１ａと、後述する補強部材１１ｅと、２枚のウレタンクッション材１１ｇ１，１１ｇ２等を有する。
【００２５】
また、ベルト１２は、補強部材１１ｅと同様、ナイロン製等の厚手の織布から構成されたベルト本体１２ａと、ベルト本体１２ａと同一形状でありベルト本体１２ａの裏側に縫付けられる雄の面ファスナー（以下、雄側面ファスナーという。）１２ｂとから構成されている。
【００２６】
尚、商品タグ１１ｆは、雌側面ファスナー１１ａの上部に予め縫付けて設けられている。
【００２７】
図６にも示すように、本実施形態の首用サポーター１では、サポーター本体１１は、硬質メッシュ素材からなる本体外側体１１ｄが２枚重ねて設けられているため、サポーター本体１１内にプラスチック製の板を設けなくても、サポーター本体１１の強度が向上するので、確実に頭を支えて頸部を安定化または固定することができると共に、首２にかかる負担を確実に軽減することができる。
【００２８】
特に、本実施形態の首用サポーター１では、本体内側体１１ｃの軟質メッシュ素材の孔よりも大きい孔が形成された硬質メッシュ素材からなる本体外側体１１ｄを２枚重ねて設けているため、２枚の本体外側体１１ｄの孔が適度にずれることになる。
【００２９】
そのため、本実施形態の首用サポーター１によれば、２枚の本体外側体１１ｄの孔が任意ないしは適度にずれることにより、本体外側体１１ｄとして倍の厚さの１枚の硬質メッシュ素材を設ける場合よりも、サポーター本体１１を構成する本体内側体１１ｃや本体外側体１１ｄの孔から首２の肌表面が露出する面積が減るので、通気性や強度を確保しつつも首２の肌が日焼けすること等も防止することができる。
【００３０】
また、サポーター本体１１は、軟質メッシュ素材からなる本体内側体１１ｃと、硬質メッシュ素材からなる２枚の本体外側体１１ｄとのメッシュ素材を重ねて構成されているため、軟質メッシュ素材からなる本体内側体１１ｃの多数ないしは無数の孔と、硬質メッシュ素材からなる２枚の本体外側体１１ｄの多数ないしは無数の孔も任意ないしは適度にずれることとなるので、この点でもサポーター本体１１を構成する本体内側体１１ｃや本体外側体１１ｄの孔から首２の肌表面が露出する面積が減少し、通気性や強度を確保しつつも首２の肌が日焼けすること等も防止することができる。
【００３１】
また、本実施形態の首用サポーター１では、図１等に示すようにユーザが首２に巻いた際、顎下部分に位置するサポーター本体１１の中央部の表側には、さらに、ベルト１２と同じナイロン製等の厚手の織布の補強部材１１ｅが設けられている。
【００３２】
そのため、本実施形態の首用サポーター１では、硬質メッシュ素材からなる本体外側体１１ｄの上から補強部材１１ｅが設けられるので、サポーター本体１１内にプラスチックの板等を設けなくても、顎下部分を十分に補強することが可能となり、さらに確実に頭を支えて頸部を安定化または固定することができると共に、首２にかかる負担を確実に軽減することができる。尚、硬質メッシュ素材からなる本体外側体１１ｄを複数枚設けることによってサポーター本体１１内にプラスチック製の板を設けなくても十分な強度が発揮できる場合には、補強部材１１は省略しても良い。
【００３３】
また、本実施形態の首用サポーター１では、補強部材１１はベルト１２と同じ素材であるナイロン製等の厚手の織布で構成しているため、製造コストを低減することができる。
【００３４】
（ベルト１２の構成）
ベルト１２は、上述したように補強部材１１ｅと同様にナイロン製等の厚手の織布から構成されたベルト本体１２ａと、ベルト本体１２ａと同一形状の雄側面ファスナー１２ｂとから構成されており、雄側面ファスナー１２ｂがサポーター本体１１の表面側に設けられた雌側面ファスナー１１ａに接離、すなわち接着したり離したりすることができるように構成されている。
【００３５】
ここで、ベルト１２を構成するベルト本体１２ａおよび雄側面ファスナー１２ｂは、図３および図５に示すように、サポーター本体１１の雌側面ファスナー１１ａが設けられていない側、すなわちサポーター本体１１の他方側の端部を表側および裏側の両側から挟み込むように設けて、サポーター本体１１の他方側の当該端部に縫付けて取り付けられる。
【００３６】
つまり、ベルト１２の表側となるベルト本体１２ａ端部は、図３に示すようにサポーター本体１１の表側周縁の縁テープ１１ｂを通り越して硬質メッシュ素材からなる本体外側体１１ｄまで延ばす一方、ベルト１２の裏側となる雄側面ファスナー１２ｂ端部も、サポーター本体１１の裏側周縁の縁テープ１１ｂを通り越して軟質メッシュ素材からなる本体内側体１１ｃまで延ばして、ベルト本体１２ａ端部と雄側面ファスナー１２ｂ端部とを縫付ける。
【００３７】
そのため、本実施形態の首用サポーター１では、ベルト本体１２ａの裏側にベルト本体１２ａと同一形状の雄側面ファスナー１２ｂが縫付けられ、特に、ベルト本体１２ａ端部と雄側面ファスナー１２ｂ端部はサポーター本体１１の表側周縁の縁テープ１１ｂや、本体内側体１１ｃおよび２枚の本体外側体１１ｄ，１１ｄを挟むようにして縫付けられるため、確実にベルト１２をサポーター本体１１に取り付けることができる。
【００３８】
また、本実施形態の首用サポーター１では、サポーター本体１１周縁に縫付ける縁テープ１１ｂは、その先端部１１ｂ１および後端部１１ｂ２を重ね合わせ、縁テープ１１ｂの先端部１１ｂ１および後端部１１ｂ２の重ね合わせ部分の上から、つまりそれらの重ね合わせ部分を表裏両側から挟むようにベルト本体１２ａ端部と雄側面ファスナー１２ｂ端部とを張り合わせるように縫付けている。
【００３９】
そのため、本実施形態の首用サポーター１では、縁テープ１１ｂの先端部１１ｂ１および後端部１１ｂ２の重ね合わせ部分がベルト１２を構成するベルト本体１２ａおよび雄側面ファスナー１２ｂによって隠れるので、首用サポーター１の外観が向上すると共に、縁テープ１１ｂの先端部１１ｂ１と後端部１１ｂ２とが離れ難くなるので、首用サポーター１の耐久性を向上させることができる。
【００４０】
尚、図５に示すように、ベルト１２を構成するベルト本体１２ａおよび雄側面ファスナー１２ｂの横方向の長さはＬ３とし、その幅（高さ）をｈ３とすると、Ｌ３＞ｈ３が成立するように横長のベルト本体１２ａおよび雄側面ファスナー１２ｂを使用して横長のベルト１２を構成している。また、雄側面ファスナー１２ｂの横方向の長さＬ３は、本体外側体１１ｄの雌側面ファスナー１１ａの内側端部からサポーター本体１１の左側端部までの長さＬ１（図３参照。）とほぼ同一の長さにしている。
【００４１】
そのため、本実施形態の首用サポーター１によれば、横長の雄側面ファスナー１２ｂおよび雌側面ファスナー１１ａを使用するので、大人や子供、男女の違い等によって首２の太さがマチマチであった場合でも、確実に対応することができる。
【００４２】
また、ベルト１２を構成する雄側面ファスナー１２ｂの幅（高さ）をｈ３と、本体外側体１１ｄの雌側面ファスナー１１ａにおいて商品タグ１１ｆが取り付けられた部分における雌側面ファスナー１１ａの縁テープ１１ｂの内側端部間の高さをｈ１と、商品タグ１１ｆの高さをｈ２との関係は、ｈ１−ｈ２＞ｈ３の関係が成立している。
【００４３】
そのため、本実施形態の首用サポーター１によれば、図７に示すようにベルト１２の雄側面ファスナー１２ｂを本体外側体１１ｄの雌側面ファスナー１１ａに接着した状態でも、商品タグ１１ｆがベルト１２によって隠されることが少なくなるので、首用サポーター１の使用時も、使用しないで巻き付けている際でも、商品タグ１１ｆに表示された登録商標等を外部に露出させてアピールすることができる。
【００４４】
また、図３に示すように、横方向の長さＬ３を有する雄側面ファスナー１２ｂは、サポーター本体１１から突出している部分の長さＬ４がサポーター本体１１に重ねて縫付けられている部分の長さＬ５よりも長い、すなわちＬ４＞Ｌ５の関係とし、かつ、サポーター本体１１から突出している部分の長さＬ４は商品タグ１１ｆの横幅Ｌ２よりも長く、Ｌ４＞Ｌ２の関係としている。
【００４５】
そのため、サポーター本体１１から突出している部分の長さＬ４がサポーター本体１１に重ねて縫付けられている部分の長さＬ５よりも長く、かつ、商品タグ１１ｆの横幅Ｌ２よりも長いので、図７に示すようにベルト１２裏側の雄側面ファスナー１２ｂをサポーター本体１１の雌側面ファスナー１１ａに接着させた場合でも、ベルト１２が設けられたサポーター本体１１の端部が商品タグ１１ｆの上に覆い被さって隠れることが減少し、この点でも商品タグ１１ｆに表示された登録商標等を外部に露出させてアピールすることができる。
【００４６】
尚、上記実施形態の首用サポーター１では、サポーター本体１１は、硬質メッシュ素材からなる本体外側体１１ｄを２枚設けて説明したが、本考案ではこれに限らず、サポーター本体１１に本体外側体１１ｄを１枚のみ設けても良いし、３枚以上の本体外側体１１ｄを設けるようにしても勿論良い。
【符号の説明】
【００４７】
１  首用サポーター
１１  サポーター本体
１１ａ  雌側の面ファスナー（雌側面ファスナー）
１１ｂ  縁テープ
１１ｃ  本体内側体
１１ｄ  本体外側体
１１ｅ  補強部材
１１ｆ  商品タグ
１１ｇ１，１１ｇ２  ウレタンクッション材
１２  ベルト
１２ａ  ベルト本体
１２ｂ  雄側の面ファスナー（雄側面ファスナー）
【図１】
0003210961.tif 000003
【図２】
0003210961.tif 000004
【図３】
0003210961.tif 000005
【図４】
0003210961.tif 000006
【図５】
0003210961.tif 000007
【図６】
0003210961.tif 000008
【図７】
0003210961.tif 000009